(57)【要約】  流体流システムは、システムを通って流れる流体と接触する１つ以上の抵抗温度検出器（ＲＴＤ）を含み得る。１つ以上のＲＴＤは、加熱モードおよび測定モードで動作され得る。１つ以上のＲＴＤの熱的挙動が、システムを通って流れる流体からＲＴＤ（複数可）上に形成される付着物レベルを特性化するために、分析され得る。異なる温度で動作されたＲＴＤ上の付着の特性化が、温度依存付着プロファイルを確立するために使用され得る。付着プロファイルは、付着が使用デバイス等の流体流システム内の一定の場所に形成される可能性があるか否かを判定するために使用され得る。検出された付着物状態は、付着物が流体流システムの動作に悪影響を与える前に、付着物形成を防止または最小化するために行われ得る１つ以上の是正措置を開始することができる。【選択図】図１
2019532287.tif 000002
【特許請求の範囲】
【請求項１】
流体を使用デバイスに向かって方向付けるための流体流システムであって、
複数の抵抗温度検出器（ＲＴＤ）と、
前記複数のＲＴＤと電気通信しており、かつ前記ＲＴＤに電力を印加することができる、加熱回路と、
前記複数のＲＴＤと通信している、測定回路と、
前記加熱回路および前記測定回路と通信しており、かつ前記加熱回路を介した加熱モードおよび前記測定回路を介した測定モードで、前記複数のＲＴＤの各々を動作させることができる、コントローラと、
を備え、
前記コントローラが、
前記１つ以上のＲＴＤのうちの少なくとも１つにおいて形成するように、前記プロセス流体から付着物を誘発するために、前記１つ以上のＲＴＤの各々を特性化温度に維持するように、前記複数のＲＴＤのうちの１つ以上を前記加熱動作モードで動作させることと、ここで、前記特性化温度のうちの少なくとも１つが、前記使用デバイスの典型的な動作温度よりも高く、
前記１つ以上のＲＴＤの各々に関して、
前記ＲＴＤの前記温度を測定するために、前記ＲＴＤを前記加熱モードと前記測定モードとの間で周期的に切り換えることと、
前記加熱モードおよび前記測定モードの一方または両方の前記ＲＴＤの熱的挙動の変化を観察することと、
前記観察された変化に基づいて、前記プロセス流体から前記ＲＴＤ上への付着物レベルを特性化することと、
前記１つ以上のＲＴＤの各々の前記特性化された付着物レベルに基づいて、温度依存付着プロファイルを判定することと、
前記付着プロファイルに基づいて、付着物状態が前記使用デバイスに関して存在するか否かを判定することと、
を行うように構成されている、システム。
【請求項２】
付着物状態が前記使用デバイスに関して存在すると判定された場合、前記付着物状態に対処するために１つ以上の是正措置を実施する、請求項１に記載のシステム。
【請求項３】
前記１つ以上の是正措置のうちの少なくとも１つは、
前記流体内に化学物質を導入することと、前記流体に添加される化学物質の前記量を変更することと、前記流体の前記温度を変更することと、ユーザに付着物状態を警告することと、前記使用デバイスの１つ以上の動作条件を調整することと、前記システムの前記ブローダウン速度を増加させることと、からなる群から選択される、請求項２または先行する請求項のいずれかに記載のシステム。
【請求項４】
複数の流体源と選択的に流体連通している前記流体流システムへの入力をさらに含み、前記１つ以上の是正措置は、前記システムへの前記流体源を調整することを含む、請求項２または先行する請求項のいずれかに記載のシステム。
【請求項５】
前記システムへの前記流体源を調整することは、前記複数の流体源のうちの１つ以上からの流体の前記流れを停止することを含む、請求項４または先行する請求項のいずれかに記載のシステム。
【請求項６】
前記コントローラは、前記プロセス流体からの前記ＲＴＤ上での付着物の形成と関連付けられた臨界温度を判定するようにさらに構成されている、請求項１または先行する請求項のいずれかに記載のシステム。
【請求項７】
付着物分析システムであって、
少なくとも１つの抵抗温度検出器（ＲＴＤ）であって、前記少なくとも１つのＲＴＤの表面が、流体流システムを通って流れる流体と熱的に連通するように、前記流体流システム内に位置付けられた、少なくとも１つのＲＴＤと、
前記少なくとも１つのＲＴＤと通信し、かつその温度に影響を及ぼすために前記ＲＴＤに可変電力量を印加するように構成されている、加熱回路と、
前記少なくとも１つのＲＴＤと通信し、かつその前記温度を表す信号を出力するように構成されている、測定回路と、
コントローラであって、
前記加熱回路および前記測定回路と通信し、かつ前記加熱回路を介して前記少なくとも１つのＲＴＤを高温に加熱することと、
前記少なくとも１つのＲＴＤの加熱を停止することと、
前記少なくとも１つのＲＴＤから前記測定回路を介して前記流体流システムを通って流れる前記流体への熱の熱伝導に起因する、前記少なくとも１つのＲＴＤの経時的な前記温度変化を特性化することと、
前記特性化された温度変化に基づいて、前記流体から前記少なくとも１つのＲＴＤの前記表面上に形成された付着物レベルを判定することと、
を行うように構成されている、コントローラと、
を備える、システム。
【請求項８】
前記少なくとも１つのＲＴＤの経時的な前記温度変化を特性化することは、経時的な前記温度のデータを関数に当てはめることを含み、前記関数の当てはめパラメータは、前記少なくとも１つのＲＴＤの前記表面上の付着物の程度を表す、請求項７または先行する請求項のいずれかに記載のシステム。
【請求項９】
前記関数は、指数関数を含む、請求項８または先行する請求項のいずれかに記載のシステム。
【請求項１０】
前記当てはめ関数は、第１の部分および第２の部分を有する二重指数関数を含み、
前記二重指数関数の前記第１の部分は、前記少なくとも１つのＲＴＤから前記流体試料に伝導される熱を表し、
前記二重指数関数の前記第２の部分は、前記少なくとも１つのＲＴＤから他のシステム構成要素に伝導される熱を表し、
前記付着物の程度を表す前記当てはめパラメータは、前記二重指数関数の前記第１の部分に存在し、前記二重指数関数の前記第２の部分に存在しない、請求項９または先行する請求項のいずれかに記載のシステム。
【請求項１１】
前記少なくとも１つのＲＴＤは、複数のＲＴＤを含み、
前記コントローラは、前記複数のＲＴＤのうちの少なくとも１つを特性化温度に維持して、前記ＲＴＤの前記表面上に付着物を誘発させるように構成されている、請求項７または先行する請求項のいずれかに記載のシステム。
【請求項１２】
前記測定回路は、前記複数のＲＴＤの各々と通信するマルチプレクサおよびデマルチプレクサを含み、
前記マルチプレクサおよびデマルチプレクサは、前記複数のＲＴＤの各々の前記温度を１つずつ測定するために使用される、請求項１１または先行する請求項のいずれかに記載のシステム。
【請求項１３】
流体を使用デバイスに向かって方向付けるための、先行する請求項のいずれかの前記流体流システムの使用。
【請求項１４】
流体流システム内の流体からの付着物レベルを特性化するための方法であって、
前記流体と流体連通している前記ＲＴＤの表面上に形成させるために、前記ＲＴＤを加熱し、かつ前記流体から付着物を誘発させるために、抵抗温度検出器（ＲＴＤ）を加熱動作モードで動作させることと、
前記ＲＴＤの前記温度を測定するために、前記ＲＴＤを前記加熱モードと測定モードとの間で周期的に切り換えることと、
前記加熱モードおよび前記測定モードの一方または両方の前記ＲＴＤの前記熱的挙動の変化を観察することと、
前記観察された変化に基づいて、前記プロセス流体から前記ＲＴＤ上への付着物レベルを特性化することと、
を含む、方法。
【請求項１５】
前記ＲＴＤの前記熱的挙動の変化を観察することは、前記ＲＴＤを前記加熱モードで動作させた後、前記ＲＴＤを前記測定モードで動作するように切り換えることと、前記ＲＴＤの前記温度が変化する前記速度を測定することと、
を含み、
前記プロセス流体から前記ＲＴＤ上への付着物レベルを特性化することは、前記ＲＴＤの前記温度が低下する速度を、前記プロセス流体からの付着物レベルと関連付けることを含む、請求項１４または先行する請求項のいずれかに記載の方法。
【請求項１６】
前記ＲＴＤを前記加熱モードで動作させることは、前記ＲＴＤを固定動作電力で動作させることを含み、
前記加熱モードと前記測定モードとの間で周期的に切り換えることは、前記加熱モードから前記測定モードに切り換えることと、前記ＲＴＤの前記温度を測定することと、前記加熱モードに再び切り換えることと、
をさらに含み、
前記ＲＴＤの前記挙動の変化を観察することは、前記固定動作電力で前記ＲＴＤを動作させている間の経時的な温度の前記変化を観察することを含み、
前記プロセス流体からの付着物レベルを特性化することは、前記固定動作電力での前記ＲＴＤの温度の変化の速度を、前記プロセス流体からの付着物レベルと関連付けることを含む、請求項１４または先行する請求項のいずれかに記載の方法。
【請求項１７】
前記ＲＴＤを加熱動作モードで動作させることは、前記ＲＴＤを固定温度まで上昇させることを含み、
前記加熱モードと前記測定モードとの間で周期的に切り換えることは、前記加熱モードから前記測定モードに切り換えて、前記ＲＴＤの前記温度が前記固定温度であることを確認することをさらに含み、
前記ＲＴＤの前記挙動の変化を観察することは、前記ＲＴＤを前記固定温度まで上昇させるために必要とされる前記電力の変化を観察することを含み、
前記プロセス流体からの前記付着物レベルを特性化することは、前記ＲＴＤを前記固定温度まで上昇させるために必要とされる印加電力の変化の前記速度を、前記プロセス流体からの付着物レベルと関連付けることを含む、請求項１４または先行する請求項のいずれかに記載の方法。
【請求項１８】
前記固定温度は、前記プロセス流体流路内の機器の動作温度に対応する、請求項１７または先行する請求項のいずれかに記載の方法。
【請求項１９】
前記加熱モードと前記測定モードとの間で周期的に切り換えることは、前記測定モードの間、前記ＲＴＤの前記温度が著しく変化しないように、前記加熱モードから前記測定モードに、かつ再び前記加熱モードに急速に切り換えることを含み、
前記ＲＴＤの前記挙動の変化を観察することは、前記ＲＴＤの前記温度が、前記加熱モードで前記ＲＴＤを前記動作させることに起因して増加する前記速度を測定することを含み、
前記プロセス流体から前記ＲＴＤ上への付着物レベルを特性化することは、前記ＲＴＤの前記温度が上昇する前記速度を、前記プロセス流体からの付着物レベルと関連付けることを含む、請求項１４または先行する請求項のいずれかに記載の方法。
【請求項２０】
前記特性化された付着物レベルが所定の条件に一致する場合、是正措置を実施することをさらに含む、請求項１４または先行する請求項のいずれかに記載の方法。
【請求項２１】
前記是正措置が、
化学物質を前記流体に添加することと、前記流体中の化学物質の前記投与量を変化させることと、１つ以上の流体源からの流体の前記流れを停止することと、前記ブローダウン速度を上昇させることと、前記プロセス流体の前記温度を変化させることと、使用デバイスを前記プロセス流体が流れる方に向かって調整することと、ユーザに警告することと、からなる群からの１つ以上の措置を含む、請求項２０または先行する請求項のいずれかに記載の方法。
【発明の詳細な説明】
【技術分野】
【０００１】
相互参照
本出願は、２０１６年９月１２日に出願された米国特許出願第１５／２６２，８０７号の継続出願であり、これらの全体の内容は、参照によって本明細書に組み込まれる。
【背景技術】
【０００２】
様々な流体流システムが、１つ以上の入力流体源から使用デバイスに向かってプロセス流体を流すように配置される。例えば、熱交換器表面に向かって流れる流体は、熱交換表面に熱を伝導するか、または熱交換表面から熱を取り出し、表面を動作温度に維持するために使用され得る。
【０００３】
いくつかの例において、流体の構成の変化、流体または使用デバイスの動作温度などのような、流体の流体流システムの動作条件における変化は、付着物がプロセス流体からシステム構成要素上に形成する可能性に影響を及ぼし得る。使用デバイス上に形成される付着物は、デバイスの性能に悪影響を及ぼし得る。例えば、熱交換表面上に形成される付着物は、熱交換表面を流体から断熱するように作用し得、流体が熱交換器と熱的に相互作用する能力を低減させる。
多くの場合、かかる付着物は、使用デバイスの性能が注意を要する点まで低下したときのみ、検出される。例えば、熱交換器表面は、その熱交換表面上に形成される十分に大きい付着物に起因して、所望される温度を維持することができなくなる場合がある。システムを正常な状態に復元するために、システムは、多くの場合、シャットダウン、分解、および洗浄されなければならず、これは、費用および時間がかかるプロセスであり得る。
【先行技術文献】
【特許文献】
【０００４】
【特許文献１】国際公開第２０１０／０８７７２４号
【発明の概要】
【０００５】
開示の一定の態様は、概して、付着物レベルを特性化する、および／または流体流システム内に存在する付着物状態を検出するためのシステムおよび方法を対象とする。いくつかのかかるシステムは、流体流システムを通って流れる流体と熱的に連通している１つ以上の抵抗温度検出器（ＲＴＤ）を含み得る。ＲＴＤ（複数可）は、例えば、ＲＴＤ（複数可）の温度を上昇させるためにＲＴＤ（複数可）に電力を印加するように構成された加熱回路とインターフェース接続し得る。追加的または代替的に、ＲＴＤ（複数可）は、１つ以上のＲＴＤの温度を表す出力を提供するように構成された測定回路と相互接続し得る。
【０００６】
システムは、加熱回路および測定回路と通信するコントローラを含み得、加熱モードおよび測定モードでＲＴＤ（複数可）を動作させるように構成され得る。いくつかの例において、コントローラは、ＲＴＤ（複数可）を高温に加熱し（例えば、加熱モードで）、ＲＴＤ（複数可）の加熱を停止し、経時的なＲＴＤ（複数可）の温度変化を特性化する（例えば、測定モードで）ように構成され得る。ＲＴＤ（複数可）の温度変化を特性化することは、測定回路を介してＲＴＤ（複数可）から、流れシステムを通って流れる流体への熱の熱伝導に起因する温度変化を特性化することを含み得る。ＲＴＤ（複数可）上の流体流からの付着物は、ＲＴＤと流体との間の熱伝導に影響を及ぼし得る。したがって、いくつかの実施形態において、コントローラは、特性化された温度変化に基づいて、流体からＲＴＤ（複数可）の表面上に形成された付着物レベルを判定するように構成され得る。
【０００７】
いくつかの例において、コントローラは、加熱モードと測定モードとの間でＲＴＤ（複数可）を周期的に切り換え、かつＲＴＤ（複数可）の熱的挙動の変化を観察するように構成され得る。コントローラは、観察された変化に基づいて、流体からＲＴＤ（複数可）上への付着物レベルを特性化するように構成され得る。
【０００８】
複数のＲＴＤを含むいくつかの例示的なシステムにおいて、コントローラは、複数のＲＴＤの各々を異なる動作温度に維持し、かつかかるプロセスをＲＴＤ上で実施するように構成され得る。コントローラは、ＲＴＤの各々の特性化された付着物レベルに基づいて温度依存付着プロファイルを判定し、かつプロファイルに基づいて、付着物状態が使用デバイスに関して存在する否かを判定するように構成され得る。
【０００９】
様々な実施形態において、ＲＴＤの挙動の変化を観察することは、様々な観察を含み得る。例示的な観察としては、一定の電力がＲＴＤに印加されたときにＲＴＤによって達成される温度の変化、ＲＴＤの温度変化の速度の変化、一定の温度を達成するために加熱動作モードで印加される電力量などが挙げられ得る。各かかる特性は、流体からＲＴＤ上に形成する付着物によって影響を受ける場合があり、ＲＴＤ上の付着物レベルを特性化するために使用され得る。
【００１０】
いくつかの例において、是正措置が、検出された付着物および／または付着物状態に対処するために行われ得る。例えば、システムを通って流れる流体に対する変化は、付着物の形成を最小化するように調整され得る。かかる変化は、スケール抑制剤または殺生物剤等の化学物質を添加して、付着物形成を減少させること、または付着物形成に寄与し得るシステム内への一定の流体の流れを停止することを含み得る。他の是正措置としては、流体または使用デバイス動作温度等のシステムパラメータを変化させることを含み得る。いくつかの実施形態において、かかる是正措置は、システムオペレータによって手動で実施され得る。追加的または代替的に、かかる措置は、例えば、コントローラ、および１つ以上のポンプ、バルブなどのような他の機器を介して自動化され得る。またさらなる例において、システムは、付着物状態をユーザに警告する形態の是正措置を実施し得、それにより、ユーザは、続いて是正措置を行うことができる。
【図面の簡単な説明】
【００１１】
【図１】流体流システムにおける１つ以上のＲＴＤの例示的な配置の例解である。
【００１２】
【図２】例示的な実施形態におけるＲＴＤを動作させるためのシステムの概略図である。
【００１３】
【図３】ＲＴＤの配列の動作構成を示す例示的な概略図である。
【００１４】
【図４】加熱動作モードにおける複数のＲＴＤの動作を示す概略図である。
【００１５】
【図５】測定動作モードにおける単一のＲＴＤの動作を示す概略図である。
【００１６】
【図６Ａ】ＲＴＤでの付着レベルを特性化するために使用され得るＲＴＤの例示的な熱的挙動を例解する。
【図６Ｂ】ＲＴＤでの付着レベルを特性化するために使用され得るＲＴＤの例示的な熱的挙動を例解する。
【図６Ｃ】ＲＴＤでの付着レベルを特性化するために使用され得るＲＴＤの例示的な熱的挙動を例解する。
【図６Ｄ】ＲＴＤでの付着レベルを特性化するために使用され得るＲＴＤの例示的な熱的挙動を例解する。
【００１７】
【図７】流体流システム内の使用デバイス上へのプロセス流体からの付着物を軽減するための例示的なプロセスを例解するプロセスフロー図である。
【発明を実施するための形態】
【００１８】
抵抗温度検出器（ＲＴＤ）は、関心対象の温度を測定するために一般的に使用されるデバイスである。例えば、いくつかの事例において、ＲＴＤの抵抗は、温度に対して略線形である。抵抗は、ＲＴＤに電流を流し、ＲＴＤの両端の結果として生じる電圧を測定することによって測定され得る。ＲＴＤを流れる電流は、ＲＴＤに熱影響を与え得るため、電流は、典型的には、温度測定中、比較的小さい値に維持される。例示的な動作において、少量の電流が、温度が測定されることになる、いくつかの環境に曝されている導体に流される。温度が変化すると、その導体（例えば、白金）内の抵抗の特性変化が測定され、温度を計算するために使用される。
【００１９】
図１は、流体流システムにおける１つ以上のＲＴＤの例示的な配置の例解である。示されるように、ＲＴＤ１０２ａ〜ｄは、プロセス流体を使用デバイス１０５に方向付けるように構成された流体流システム１００内のプロセス流体の流路１０６内に位置付けられている。矢印１０８は、流体源から使用デバイス１０５に向かう流体の例示的な流路を例解する。本明細書に説明されるように、プロセス流体は、概して、限定されるものではないが、冷却水、ボイラ供給水、凝縮液、ブローダウン水、廃水、および排出された流出水等のユーティリティ流体を含む、かかる流体流システムを通って流れる任意の流体に関し得る。かかる例示的なプロセス流体は、様々な供給源（例えば、プロセスからの流出流、ボイラブローダウン水、処理済み廃水、生成水、清水の供給源など）から流体流システム１００に方向付けられ得る。いくつかの例において、単一の流体流システム１００は、様々な供給源から入力プロセス流体を受容し得る。いくつかのかかる例において、プロセス流体源は、手動および／もしくは自動バルブまたは一連のバルブ等を介して選択され得る。いくつかの実施形態において、単一の流体源が、１つ以上の考えられる入力源から選択され得る。代替的な実施形態において、複数の供給源が、選択された複数の供給源からの流体が混合されて入力流体を形成するように、選択され得る。いくつかの実装において、既定の入力流体は、複数の利用可能な入力源の各々からの流体の混合物で構成され、入力流体の構成は、１つ以上のかかる入力源のシステムへの流れを遮断することによって調整され得る。
【００２０】
図１の例において、ＲＴＤ１０２ａ〜ｄは、試料ホルダ１０４上に取り付けられたＲＴＤの配列として示されている。いくつかの例において、試料ホルダ１０４は、例えば、ＲＴＤ１０２ａ〜ｄの洗浄、交換、または他の保守を容易にするために、流体流システム１００の流路１０６から取り外し可能である。追加的または代替的に、１つ以上のＲＴＤ（例えば、試料ホルダ上に位置付けられている）は、流体流システム１００を通って使用デバイス１０５に流れる流体の構成に寄与する１つ以上の流体入力の流路内に位置付けられ得る。流体流システムは、例えば、洗浄システム（例えば、食器洗浄、洗濯など）、食品および飲料システム、採鉱、エネルギーシステム（例えば、油井、精製所など）、エンジン吸気口を通る空気流、冷却塔またはボイラ等の熱交換システム、パルプおよび紙プロセスなどを含む、プロセス流体が流れる任意のシステムであり得る。矢印１０８は、流体の温度を監視するために使用され得るＲＴＤ１０２を通過して使用デバイス１０５に向かう流体の流れの方向を示している。
【００２１】
いくつかの実施形態において、流体流システムは、システムを通って流れる流体の１つ以上のパラメータを判定することができる１つ以上の追加のセンサ１１１（想像線で示される）を備える。様々な実施形態において、１つ以上の追加のセンサ１１１は、流量、温度、ｐＨ、アルカリ度、導電率、および／またはプロセス流体の１つ以上の構成要素の濃度等の他の流体パラメータを判定するように構成され得る。ＲＴＤ１０２ａ〜ｄの下流に位置付けられた単一の要素として示されているが、１つ以上の追加のセンサ１１１は、任意の数の個々の構成要素を含む得、ＲＴＤ１０２ａ〜ｄと同一流体をサンプリングしている間に、流体流システム１００内のいずれの場所に位置付けられてもよい。
【００２２】
図２は、例示的な実施形態におけるＲＴＤを動作させるためのシステムの概略図である。図２の実施形態において、ＲＴＤ２０２は、測定回路２１０と通信している。いくつかの例において、測定回路２１０は、ＲＴＤの温度を判定するために、ＲＴＤの抵抗の測定を容易にし得る。例えば、例示的な実施形態において、測定回路は、ＲＴＤを通って流れる電流を提供し、ＲＴＤの両端の電圧降下を測定して、その抵抗、したがって、その温度を判定し得る。
【００２３】
システムは、測定回路２１０と通信するコントローラ２１２を含み得る。コントローラ２１２は、マイクロコントローラ、プロセッサ、動作／実行命令を含むメモリ、フィールドプログラマブルゲートアレイ（ＦＰＧＡ）、ならびに／またはシステム構成要素とインターフェース接続および相互作用することができる任意の他のデバイスを含み得る。いくつかのかかる例において、システムは、コントローラ２１２がＲＴＤ２０２の温度を判定するために測定回路２１０とインターフェース接続し得る、測定モードで動作し得る。いくつかの例において、コントローラは、測定回路２１０を介してＲＴＤに電流を印加させ、ＲＴＤ２０２の両端の電圧を表す測定回路２１０から信号を受信し、既知の電流および測定された電圧に基づいてＲＴＤの抵抗を判定し得る。いくつかの実施形態において、コントローラ２１２は、測定回路から受信した信号に基づいてＲＴＤ２０２の抵抗および／または温度を別途判定するように構成される。したがって、いくつかのかかる例において、コントローラ２１２は、ＲＴＤ２０２の温度を判定するために、測定回路２１０およびＲＴＤ２０２とインターフェース接続し得る。
【００２４】
図２のシステムは、コントローラ２１２およびＲＴＤ２０２と通信する加熱回路２１４をさらに備える。いくつかのかかる例において、システムは、ＲＴＤ２０２の温度を上昇させるために、コントローラ２１２が加熱回路２１４を介してＲＴＤ２０２に電力を印加し得る、加熱モードで動作し得る。いくつかのかかる実施形態において、コントローラ２１２は、ＲＴＤ２０２の温度を上昇させるために、ＲＴＤ２０２に印加される電力量を調整するか、そうでなければ制御することができる。様々な例において、印加電力を調整することは、電流、電圧、パルス幅変調（ＰＷＭ）信号のデューティサイクルを調整すること、またはＲＴＤ２０２に印加される電力を調整するための他の既知の方法を含み得る。
【００２５】
いくつかの例において、コントローラ２１２は、加熱回路２１４および測定回路２１０を同時に介してＲＴＤ２０２とインターフェース接続することができる。いくつかのかかる例において、システムは、加熱モードおよび測定モードで同時に動作し得る。同様に、かかるシステムは、加熱モードおよび測定モードで独立して動作し得、ＲＴＤは、加熱モード、測定モード、またはその両方で同時に動作され得る。他の例において、コントローラ２１２は、加熱動作モードおよび測定動作モードとの間で切り換え得る。追加的または代替的に、１つ以上の測定回路２１０および１つ以上の加熱回路２１４を介して複数のＲＴＤ２０２と通信するコントローラは、かかるＲＴＤを異なる動作モードで動作させ得る。様々なかかる例において、コントローラ２１２は、各ＲＴＤを同一動作モードまたは別個の動作モードで動作し得る、および／または各ＲＴＤを個々に、例えば、直列に動作させ得る。多くの実施形態が可能であり、かつ本開示の範囲内である。
【００２６】
図１に関して説明されたように、システムは、流体流システムを通って流れる流体の１つ以上のパラメータを判定するための１つ以上の追加のセンサ２１１を含み得る。かかる追加のセンサ２１１は、コントローラ２１２と有線または無線通信し得る。したがって、いくつかの実施形態において、コントローラ２１２は、流体流システム内に位置付けられたＲＴＤ２０２および追加のセンサ２１１の両方とインターフェース接続するように構成され得る。
【００２７】
図３は、ＲＴＤの配列の動作構成を示す例示的な概略図である。例解された実施形態において、一連のＲＴＤ３０２ａ〜ｄは、測定回路３１０および加熱回路３１４を介してコントローラ３１２と通信する。加熱動作モード中、コントローラ３１２は、ＲＴＤの温度を上昇させるために、加熱回路３１４に、１つ以上のＲＴＤ３０２ａ〜ｄに電力を供給させ得る。例解された実施形態において、加熱回路３１４は、増幅段３１８と通信するＰＷＭモジュール３１６を含む。図３の例において、ＰＷＭモジュール３１６は、複数のチャネルＡ〜Ｄを含み、各チャネルは、一連のＲＴＤ内のそれぞれのＲＴＤ３０２ａ〜ｄに対応する。ＰＷＭモジュール３１６の各チャネルは、増幅段３１８を介してその対応するＲＴＤ３０２ａ〜ｄと通信する。増幅段３１８は、それぞれのＲＴＤ３０２ａ〜ｄに印加される加熱信号を生成するように、ＰＷＭモジュール３１６からの信号を変更するように構成され得る。いくつかの例において、増幅段３１８は、ＲＴＤ３０２に定常電力を供給するために、例えば、ＬＲＣフィルタを介して、ＰＷＭモジュール３１６からのＰＷＭ信号をフィルタリングするように構成される。追加的または代替的に、増幅段３１８は、ＲＴＤ３０２の温度を望ましく変化させるためにＰＷＭモジュール３１６からの信号を効果的に増幅し得る。
【００２８】
例示的な加熱動作実施形態において、コントローラは、ＲＴＤ３０２ａの温度を上昇させるようにＰＷＭモジュール３１６に信号を送る。コントローラ３１２は、ＰＷＭモジュール３１６に、チャネルＡから増幅段３１８にＰＷＭ信号を出力させ得る。デューティサイクル、大きさ等のＰＷＭ信号の態様は、所望される加熱効果を満たすようにコントローラ３１２によって調整され得る。追加的または代替的に、増幅段３１８は、ＲＴＤ３０２ａの加熱量を効果的に制御するために、ＰＷＭ信号のチャネルＡの１つ以上の態様を調整し得る。同様の加熱動作は、ＲＴＤ３０２ａ〜ｄのいずれかまたは全てに対して同時に実施され得る。いくつかの実施形態において、コントローラ３１２は、ＲＴＤの各々が異なる動作温度まで昇温されるように、複数のＲＴＤ３０２ａ〜ｄの各々の加熱動作を制御し得る。
【００２９】
本明細書の他の箇所に説明されるように、コントローラ３１２は、測定回路３１０を介して１つ以上のＲＴＤ３０２ａ〜ｄとインターフェース接続することができ得る。いくつかのかかる例において、コントローラ３１２は、測定回路３１０を介して、ＲＴＤ３０２ａ〜ｄの温度の測定値を判定し得る。ＲＴＤの抵抗がその温度に依存するため、いくつかの例において、コントローラ３１２は、ＲＴＤ３０２ａ〜ｄの抵抗を判定し、そこから温度を判定するように構成され得る。例解された実施形態において、測定回路３１０は、ＲＴＤ３０２ａ〜ｄのうちの１つ以上を通して接地３４０に所望される電流を提供することができる電流源３３０（例えば、精密電流源）を備える。かかる実施形態において、ＲＴＤ３０２ａ〜ｄの両端の電圧の測定値は、ＲＴＤ３０２ａ〜ｄの抵抗、したがって温度を計算するためにそこを通って流れる既知の精密電流と組み合わせられ得る。いくつかの例において、電流源３３０からＲＴＤに提供される電流は、十分に小さく（例えば、マイクロアンペア範囲内）、そのため、ＲＴＤを通って流れる電流は、ＲＴＤの温度を実質的に変化させない。
【００３０】
複数のＲＴＤ３０２ａ〜ｄを含む構成において、コントローラ３１２は、様々な方式でＲＴＤ３０２ａ〜ｄの各々とインターフェース接続し得る。図３の例示的な実施形態において、測定回路３１０は、コントローラ３１２、電流源３３０、およびＲＴＤ３０２ａ〜ｄと通信するマルチプレクサ３２０を備える。コントローラ３１２は、ＲＴＤのうちの１つ（例えば３０２ａ）の両端の電圧の測定が所望されるとき、マルチプレクサ３２０が電流源３３０からの電流を所望されるＲＴＤ（例えば３０２ａ）に方向付けるように、マルチプレクサ３２０を動作させ得る。示されるように、図３の例示的なマルチプレクサ３２０は、それぞれ、ＲＴＤ３０２ａ、３０２ｂ、３０２ｃ、および３０２ｄと通信する、チャネルＡ、Ｂ、Ｃ、およびＤを含む。したがって、ＲＴＤ３０２ａ〜ｄのうちの特定の１つの温度を測定するとき、コントローラ３１２は、電流を、電流源３３０からマルチプレクサ３２０の適切なチャネルを通し、所望されるＲＴＤ３０２ａ〜ｄを通して、その両端の電圧降下を生じさせるために、接地３４０に供給させ得る。
【００３１】
複数のＲＴＤ３０２ａ〜ｄのうちの所望される１つの両端の電圧降下を測定するために、測定回路３１０は、ＲＴＤ３０２ａ、３０２ｂ、３０２ｃ、および３０２ｄにそれぞれ対応するチャネルＡ、Ｂ、Ｃ、およびＤを有するデマルチプレクサ３２２を含む。コントローラ３１２は、所望されるＲＴＤに応じて、それぞれのチャネルＡ〜Ｄのうちのいずれか１つから信号を送信するようにデマルチプレクサ３２２を指示し得る。デマルチプレクサ３２２の出力は、所望されるＲＴＤの抵抗、それゆえに温度を示す信号を受信するためにコントローラ３１２に向けられ得る。例えば、いくつかの実施形態において、デマルチプレクサ３２２の出力は、接地に接続しないか、そうでなければ接地に対して高インピーダンスを有する。したがって、それぞれのマルチプレクサ３２０のチャネル（例えば、チャネルＡ）を介してＲＴＤ（例えば、３０２ａ）に流れる電流は、ＲＴＤを通って流れるのみであることになる。結果として生じるＲＴＤ（例えば、３０２ａ）の両端の電圧は、デマルチプレクサ３２２のそれぞれの入力チャネル（例えば、チャネルＡ）に同様に存在することになり、コントローラ３１２による受信のためにそこから出力され得る。いくつかの例において、コントローラ３１２に直接印加される代わりに、デマルチプレクサ３２２の出力におけるＲＴＤ（例えば、３０２ａ）の両端の電圧は、電圧を測定するために差動増幅器３３４の第１の入力に印加され得る。増幅器３３４は、例えば、結果として生じる増幅をコントローラ３１２に出力する前に、デマルチプレクサ３２２の出力における電圧を基準電圧と比較するために使用され得る。したがって、本明細書に説明されるように、コントローラ３１２によって受信するためのデマルチプレクサ３２２から出力された信号は、コントローラ３１２によって直接受信され得るが、そうである必要はない。むしろ、いくつかの実施形態において、コントローラ３１２は、デマルチプレクサ３２２からの出力信号に基づく増幅器３３４からの出力信号等の、デマルチプレクサ３２２の出力の信号に基づく信号を受信し得る。
【００３２】
いくつかの例において、測定回路３１０は、第２の電流源３３２と接地３４０との間に直列に基準抵抗器３０８を含み得る。電流源３３２は、一定の既知の電流を、既知の抵抗の基準抵抗器３０８を通して接地に提供し得、基準抵抗器３０８の両端に一定の電圧降下を生じさせる。定電圧が、電流源３３２からの既知の電流および基準抵抗器３０８の既知の抵抗に基づいて計算され得る。いくつかの例において、基準抵抗器３０８は、ＲＴＤ３０２ａ〜ｄに近接したセンサヘッド内に位置し、ＲＴＤ３０２ａ〜ｄと同様に配線される。いくつかのかかる実施形態において、配線の未知の抵抗に起因する任意の未知の電圧降下は、基準抵抗器３０８に対するものであり、任意のＲＴＤ３０２ａ〜ｄは、略等しい。例解された例において、基準抵抗器３０８は、一方で接地３４０に連結され、他方で差動増幅器３３４の第２の入力に連結される。したがって、基準抵抗器３０８と組み合わせにおける電流源３３２は、差動増幅器３３４の第２の入力に既知かつ一定の電圧を供給するように作用し得る（例えば、基準抵抗器３０８に応じて、加えて配線に起因する可変電圧）。したがって、かかるいくつかの例において、差動増幅器３３４の出力は、配線抵抗の影響を受けず、コントローラ３１２に供給され得る。
【００３３】
例解された実施形態に示され、かつ本明細書に説明されるように、差動増幅器３３４は、一方の入力でデマルチプレクサ３２２の出力からＲＴＤ（例えば、３０２ａ）の両端間の電圧を受信し得、その他方の入力で基準抵抗器３０８の両端の基準電圧を受信し得る。したがって、差動増幅器３３４の出力は、ＲＴＤの両端の電圧降下と基準抵抗器３０８の両端の既知の電圧降下との間の電圧差を示す。差動増幅器３３４の出力は、最終的にＲＴＤ（例えば、３０２ａ）の温度を判定するためにコントローラ３１２によって受信され得る。例示的な測定回路が図３に示されているが、ＲＴＤの温度を測定することが、本開示の範囲から逸脱せずに任意の様々な方式で実施され得ることが理解されよう。例えば、ＲＴＤの両端の電圧降下は、アナログ入力信号としてコントローラ３１２によって直接受信され得る。追加的または代替的に、既知の静電容量Ｃ、およびＲＴＤの抵抗である抵抗Ｒを有するＲＣ回路の緩和時間が、ＲＴＤの抵抗を判定するために使用され得る。いくつかのかかる例において、かかる測定は、基準（例えば、基準抵抗器３０８）を使用せずに任意の配線の任意の抵抗効果を排除し得る。
【００３４】
いくつかの実施形態において、コントローラ３１２は、どのＲＴＤが分析されているかが分かるように、マルチプレクサ３２０およびデマルチプレクサ３２２を協調して動作させ得る。例えば、図３の例解的な例に関して、コントローラ３１２は、電流源３３０からの電流が、デマルチプレクサ３２２を介して差動増幅器３３４と通信している同一ＲＴＤ３０２ａを通って流れるように、チャネルＡ上でマルチプレクサ３２０およびデマルチプレクサ３２２を動作させ得る。
【００３５】
複数のＲＴＤ３０２ａ〜ｄがマルチプレクサ３２０およびデマルチプレクサ３２２の異なるチャネルと通信している、図３に示されるような例示的な構成において、コントローラ３１２は、ＲＴＤ３０２ａ〜ｄの各々の温度測定を実施するために、マルチプレクサ３２０およびデマルチプレクサ３２２の動作チャネルを切り換えるように作用し得る。例えば、例示的な実施形態において、コントローラは、それぞれのＲＴＤ３０２ａ〜ｄの各々の温度測定を実施するために、それぞれのマルチプレクサ３２０およびデマルチプレクサ３２２のチャネルを通してサイクルし得る。
【００３６】
本明細書の他の箇所に説明されるように、いくつかの例において、コントローラ３１２は、１つ以上のＲＴＤの加熱動作を制御し得る。いくつかのかかる実施形態において、コントローラ３１２は、マルチプレクサ３２０およびデマルチプレクサ３２２を介してＲＴＤの温度を測定する前にＲＴＤの加熱を停止する。同様に、加熱回路３１４を介してＲＴＤを加熱するとき、コントローラ３１２は、マルチプレクサ３２０およびデマルチプレクサ３２２内のそのＲＴＤと関連付けられたチャネル（複数可）をオフにし得る。いくつかの実施形態において、各個々のＲＴＤに関して、コントローラ３１２は、加熱回路３１４および測定回路３１０（マルチプレクサ３２０およびデマルチプレクサ３２２を含む）を使用して、別個の加熱動作モードおよび測定動作モードを切り換え得る。
【００３７】
図４は、加熱動作モードにおける複数のＲＴＤの動作を示す概略図である。示されるように、複数のＲＴＤ４０２ａ〜ｃの各々は、それぞれの電源４１４ａ〜ｃと通信する。図３を参照して説明されたように、いくつかの例において、各ＲＴＤ４０２ａ〜ｃは、加熱モードで動作している間、いかなる測定回路構成要素によっても影響を受けない。したがって、各ＲＴＤ４０２ａ〜ｃは、電源４１４ａ〜ｃを介して個別かつ独立して加熱され得る。図４の実施形態においてＤＣ電源であるように示されているが、様々な調整可能な電源のいずれかが使用され得ることが理解されよう。いくつかの例において、電源４１４ａ〜ｃは、実質的にＤＣ信号を提供するためにフィルタリングおよび平滑化されたＰＷＭ信号を備える。別個の電源４１４ａ〜ｃであるように示されているが、いくつかの実施形態において、単一の構成要素が、各ＲＴＤ４０２ａ〜ｃに独立して調整可能な電力を提供するために使用され得る。
【００３８】
図５は、測定動作モードにおける単一のＲＴＤの動作を示す概略図である。例解された実施形態において、電流源５３０は、ＲＴＤ５０２を通して接地５４０への定電流の流れを提供するように構成される。ＲＴＤ５０２の両端の電圧降下は、増幅器５３４の第１の入力に印加される。電流源５３２は、基準抵抗器５０８を通して接地５４０への定電流の流れを提供するように構成される。本明細書の他の箇所で説明されるように、電流源５３２からの既知の電流および基準抵抗器５０８の既知の抵抗は、増幅器５３４の第２の入力に印加される、基準抵抗器５０８の両端の電圧降下を判定するために使用され得る。増幅器５３４の出力５５０は、基準抵抗器５０８の両端の既知の電圧降下とＲＴＤ５０２の両端の電圧降下との間の差に関する情報を提供し得、この情報は、ＲＴＤ５０２の両端の電圧降下を判定するために使用され得る。ＲＴＤ５０２の両端の判定された電圧降下は、ＲＴＤ５０２の抵抗、それゆえに温度を判定するために、電流源５３０からの既知の電流と共に使用され得る。図５の実施形態に示されていないが、いくつかの事例において、ＲＴＤ５０２は、例えば、図３に示されるようなマルチプレクサおよびデマルチプレクサの動作を介して、ＲＴＤの配列から選択された単一のＲＴＤである。
【００３９】
図１を再び参照すると、複数のＲＴＤ１０２ａ〜ｄは、流体流システム内のプロセス流体の流路内に配設され得る。いくつかの事例において、プロセス流体は、流路１０６の壁、センサ、プロセス機器（例えば、プロセス流体が流れる使用デバイス１０５）などのような、様々な流体流システム構成要素上に付着物（例えば、スケール、バイオフィルムなど）を形成する成分を含み得る。いくつかの例において、流体流路内のＲＴＤ１０２ａ〜ｄ上に形成する付着物は、ＲＴＤとプロセス流体との間の断熱層として作用する可能性があり、これは、ＲＴＤの熱的挙動に影響を及ぼし得る。
【００４０】
したがって、いくつかの例において、流体流路内の１つ以上のＲＴＤの熱的挙動を観察することは、ＲＴＤ（例えば、１０２ａ〜ｄ）に存在する付着物レベルに関する情報を提供し得る。図６Ａ〜６Ｄは、ＲＴＤでの付着レベルを特性化するために使用され得るＲＴＤの例示的な熱的挙動を例解する。
【００４１】
図６Ａは、時間および電流対時間のプロットを示す。例解された例において、高電流がＲＴＤに印加される（例えば、図３の加熱回路３１４のチャネルＡを介してＲＴＤ３０２ａに印加される、平滑化されたＤＣ電流）。印加電流は、ＲＴＤを高温に加熱する。時間ｔ０において、電流が低下し、ＲＴＤの温度が低下し始める。例解された例において、清浄なＲＴＤ（実線）および汚染されたＲＴＤ（破線）の両方の温度プロファイルが示されている。各ＲＴＤは高温（同一温度である必要はない）に加熱されるが、汚染されたＲＴＤ上の付着物がＲＴＤとプロセス流体との間の断熱を提供するため、清浄なＲＴＤは、汚染された（コーティングされた）ＲＴＤよりも急速に冷却する。いくつかの実施形態において、温度減衰プロファイルは、ＲＴＤ上に存在する付着物の量を判定するために分析され得る。
【００４２】
図２を参照すると、コントローラ２１２は、加熱回路２１４を介してＲＴＤ２０２を加熱し得る。いくつかの例において、コントローラ２１２は、測定回路２１０を介してＲＴＤ２０２の温度を測定するために、測定モードに周期的に切り換え得る。時間ｔ０において、コントローラ２１２は、加熱回路２１４を介したＲＴＤ２０２への電力の印加を止め、温度がプロセス流体に起因して減衰する際に、測定回路２１０を介してＲＴＤ２０２の温度を監視するために測定モードに切り換える。ＲＴＤ２０２の温度の減衰プロファイルは、測定回路２１０を介してコントローラ２１２によって監視され得る。いくつかの例において、コントローラ２１２は、ＲＴＤ２０２上の付着物レベルを判定するために温度減衰プロファイルを分析するように構成される。例えば、コントローラ２１２は、減衰プロファイルを、時定数を有する指数関数等の関数に当てはめ得る。いくつかのかかる例において、当てはめパラメータが、付着物レベルを判定するために使用され得る。
【００４３】
例示的な実施形態において、経時的な温度減衰プロファイルは、二重指数関数に当てはめられ得る。例えば、いくつかの事例において、二重指数減衰モデルの第１の部分は、流れシステムを通って流れるプロセス流体に起因する温度変化を表し得る。二重指数減衰モデルの第２の部分は、加熱されたＲＴＤから配線、試料ホルダ（例えば、図１の１０４）または他の構成要素等の、他の構成要素への温度伝導度を表し得る。いくつかのかかる実施形態において、二重指数当てはめ関数は、同一関数内で温度伝導の両方の供給源を独立して表し得、かかる温度変化の相対量およびタイミングを反映するように重み付けされ得る。いくつかのかかる例において、二重指数減衰モデルの第１の部分の当てはめパラメータは、流体とインターフェース接続するＲＴＤの表面上の付着物レベルを表す。したがって、いくつかのかかる実施形態において、指数の第２の部分は、特性化された付着物レベルに寄与しない。他の当てはめ関数が、かかる二重指数関数に加えて、または代替的に、使用され得ることが理解されよう。
【００４４】
いくつかの場合において、付着物を特性化する際に一定の当てはめ関数を使用することは、ＲＴＤがプロセス流体と平衡に達することを可能にされ、その後、温度の変化が停止した場合、歪められる可能性がある。したがって、様々な実施形態において、コントローラ２１２は、ＲＴＤが熱平衡に達する前にＲＴＤの加熱を再開する、および／またはＲＴＤがプロセス流体と平衡に達する前に、収集された温度データをＲＴＤの熱減衰プロファイルと関連付けることを停止するように構成される。そうすることによって、非減衰データがＲＴＤの熱減衰プロファイルの解析を不必要に変更することを防止する。他の実施形態において、当てはめ関数は、当てはめ関数を歪めずに、ＲＴＤ温度とプロセス流体温度との平衡を考慮し得る。いくつかのかかる実施形態において、当てはめ関数のタイプおよび／または当てはめ関数の重み係数が、かかる温度平衡を考慮するように使用され得る。
【００４５】
いくつかの実施形態において、清浄なＲＴＤと汚染されたＲＴＤとの間の減衰プロファイルの差が、汚染されたＲＴＤ上の付着物レベルを判定するために使用され得る。清浄なＲＴＤの減衰プロファイルは、メモリから呼び出され得るか、または付着物がないことが分かっているＲＴＤから判定され得る。いくつかの事例において、時定数等の当てはめパラメータは、温度非依存であり得る。したがって、いくつかのかかる実施形態において、清浄なＲＴＤおよび汚染されたＲＴＤを、それらの熱減衰プロファイルの態様を比較するために同一温度に昇温させる必要はない。
【００４６】
図６Ｂは、温度対時間のプロットを示す。例解された例において、ＲＴＤは、温度を監視されながら、定常状態条件（例えば、プロセス流体との熱平衡）から加熱される。温度が高温から減衰するため温度が連続的に監視され得る、図６Ａの温度監視とは対照的に、図６Ｂのように温度を上昇させながらＲＴＤの温度を監視することは、ＲＴＤの加熱を必要とする。したがって、いくつかの実施形態において、図６Ｂに示されるもの等のプロットを達成するために、ＲＴＤは、ＲＴＤの温度がプロセス流体に起因して大きく変化しない間の略瞬間的な温度測定を達成するために、加熱モードから測定モード、そして再び加熱モードに急速に切り換えられ得る。かかる手順において、ＲＴＤの温度は、経時的なＲＴＤの加熱プロファイルを判定するために、加熱回路を介して昇温され、測定回路を介して周期的にサンプリングされ得る。
【００４７】
上述した図６Ａと同様に、図６Ｂのプロットは、２つの曲線を含み、一方が清浄なＲＴＤ（実線）を表し、もう一方が汚染されたＲＴＤ（破線）を表す。示されるように、汚染されたＲＴＤは、汚染されたＲＴＤ上の付着物がＲＴＤをプロセス流体の冷却効果から断熱するため、清浄なＲＴＤよりも非常に急速に温度が上昇する。したがって、いくつかの例において、ＲＴＤの加熱プロファイルは、例えば、加熱プロファイルを関数に当てはめることによって、ＲＴＤ上の付着物レベルを判定するために使用され得る。
【００４８】
いくつかの実施形態において、ＲＴＤ温度変化に関する特性を観察するのではなく、ＲＴＤが固定動作温度まで上昇されてもよい。図６Ｃは、経時的にＲＴＤを一定の温度に維持するために必要な電力のプロットを示す。示されるように、清浄なＲＴＤを一定の温度に維持するために必要とされる電力は、ＲＴＤおよびプロセス流体が平衡条件に達すると、経時的に比較的一定のままである。しかしながら、付着物が経時的にＲＴＤ上に形成する場合（汚染されたＲＴＤを表す破線で示される）、付着物の断熱特性がＲＴＤをプロセス流体の冷却効果から遮蔽する。したがって、付着物が経時的に形成すると、より少ない電力が、一定の温度を維持するためにＲＴＤに印加されることが必要とされる。
【００４９】
図３を参照すると、いくつかの実施形態において、コントローラ３１２は、加熱回路３１４を介してＲＴＤ（例えば、３０２ａ）を加熱するように構成される。コントローラ３１２は、加熱回路３１４の動作にフィードバックを提供する方式として、測定回路３１０を介してＲＴＤ（例えば３０２ａ）の温度を周期的に測定し得る。つまり、コントローラ３１２は、測定回路を介してＲＴＤ（例えば、３０２ａ）の温度を判定し、かつそれに応じて加熱回路３１４を介してＲＴＤ（例えば、３０２ａ）に印加される電力を調整して、所望される温度を達成および維持し得る。いくつかのかかる実施形態において、コントローラは、加熱モードから測定モードに、そして再び加熱モードに急速に切り換えるため、ＲＴＤの温度は、温度測定中に大きく変化しない。様々な例において、コントローラ３１２は、例えば、コントローラ３１２によって制御される加熱回路３１４（例えば、ＰＷＭモジュール３１６および／もしくは増幅段３１８）の１つ以上の構成要素から印加される大きさ、デューティサイクル、または他のパラメータを介して、ＲＴＤ（例えば３０２ａ）にどの程度の電力が印加されているかを判定し得る。
【００５０】
いくつかの例において、ＲＴＤを固定温度に維持するために必要とされる電力量は、清浄なＲＴＤを固定温度に維持するために必要とされる電力と比較される。比較は、ＲＴＤ上の付着物レベルを判定するために使用され得る。追加的または代替的に、経時的にＲＴＤを固定温度に維持するために必要とされる電力のプロファイルは、ＲＴＤ上の付着物レベルを判定するために使用され得る。例えば、ＲＴＤを固定温度に維持するために必要とされる電力の変化率は、付着物の付着速度を示し得、これは、一定時間後の付着物レベルを判定するために使用され得る。
【００５１】
別の実施形態において、ＲＴＤは、加熱回路を介してＲＴＤに一定量の電力を印加し、かつ結果として生じるＲＴＤの温度を観察することによって加熱モードで動作され得る。例えば、例示的な動作中、コントローラは、加熱回路を介してＲＴＤに一定の電力を提供し、かつ測定回路を介してＲＴＤの温度を周期的に測定し得る。加熱モード（一定の電力を印加する）から測定モード（温度を測定する）への切り換え、そして再び加熱モード（一定の電力を印加する）への切り換えが急速に実施され得るため、ＲＴＤの温度は、温度測定中に大きく変化しない。
【００５２】
図６Ｄは、一定の電力が加熱回路を介して印加される、ＲＴＤの温度対時間のプロットである。清浄なＲＴＤ（実線）の場合には、印加された一定の電力から結果として得られる温度は、経時的に略一定である。しかしながら、汚染されたＲＴＤ（破線）の温度は、経時的に上昇する。本明細書の他の箇所に説明されるように、付着物がＲＴＤ上に形成すると、付着物は、ＲＴＤをプロセス流体の冷却効果から断熱する。一般に、より厚い付着物は、より大きい断熱特性、したがって、同一電力をＲＴＤに印加することによって達成されるより高い温度を結果としてもたらすことになる。
【００５３】
いくつかの実施形態において、清浄なＲＴＤおよび試験下のＲＴＤとの間の温度差は、一定の電力が各々に印加されたとき、試験下のＲＴＤ上の付着物レベルを判定するために使用され得る。追加的または代替的に、一定の印加電力に基づく温度上昇速度は、ＲＴＤ上の付着物の付着速度に関する情報を提供し得、これは、ＲＴＤ上の付着物レベルを判定するために使用され得る。
【００５４】
図６Ａ〜６Ｄを参照すると、様々なプロセスが、ＲＴＤ上の付着物を特性化するために説明されてきた。かかるプロセスは、概して、加熱回路を介してＲＴＤを加熱すること、および測定回路を介してＲＴＤの温度を測定することを含む。ＲＴＤの熱的挙動の変化（例えば、温度上昇または減衰プロファイル、所定の温度に達するために必要な印加電力、所定の印加電力で達成される温度）は、ＲＴＤ上に形成する付着物の証拠を提供する。いくつかの例において、かかる変化は、ＲＴＤ上の付着物レベルを判定するために使用され得る。
【００５５】
様々な実施形態において、コントローラは、かかるプロセスのうちの１つ以上を実施して、プロセス流体からＲＴＤ上への任意の付着物を観察または検出するために、加熱回路および測定回路とインターフェース接続するように構成され得る。図１および２を参照する例示的な実施形態において、ＲＴＤ（例えば、１０２ａ）は、加熱回路（例えば、２１４）を介して使用デバイス１０５の動作温度まで昇温され得る。プロセス流体の成分の付着が、多くの場合、温度依存であるため、ＲＴＤの温度を使用デバイスの動作温度まで上昇させることは、ＲＴＤにおける使用デバイスの表面をシミュレートし得る。したがって、ＲＴＤで検出された付着物は、使用デバイスでの付着物を推定するために使用され得る。
【００５６】
いくつかの例において、使用デバイスは、付着物が存在するとき機能が低下することになる。例えば、使用デバイスが熱交換表面を含む熱交換器システムにおいて、熱交換表面上に形成された付着物は、熱を伝導する熱交換表面の能力に悪影響を及ぼし得る。したがって、ＲＴＤで検出された十分な貯蔵物は、熱交換表面に付着する可能性があることをシステムオペレータに警告し得、是正措置が行われ得る（例えば、熱交換表面を洗浄する）。しかしながら、使用デバイスをシミュレートするＲＴＤが、システムオペレータが使用デバイスでの付着物の存在を検出することを可能にする場合でさえ、検出された付着物に対処すること（例えば、洗浄することなど）は、付着が既に起こっているため、費用がかかるシステムダウンタイムおよび保守を必要とし得る。追加的または代替的に、いくつかの事例において、様々な付着物は、洗浄プロセスのために除去された場合でさえ、十分に清浄ではない場合があり、使用デバイスの効果を低下させる可能性がある。
【００５７】
したがって、いくつかの実施形態において、複数のＲＴＤ（例えば、１０２ａ〜ｄ）が、単一の流体流路（例えば、１０６）内に配設され、かつプロセス流体および／または流体流システム（例えば、１００）の状態を特性化するために使用され得る。図１を参照すると、例示的な実施形態において、流体流システム１００の使用デバイス１０５は、典型的には、動作温度Ｔ０で動作する。ＲＴＤ１０２ａ〜ｄは、Ｔ０よりもプロセス流体からの付着物の付着を促進する可能性が高い温度まで昇温され得る。例えば、様々なプロセス流体は、カルシウムならびに／またはマグネシウムの硫酸塩、炭酸塩、および／もしくはケイ酸塩等の成分、かつ／あるいはプロセス流体から付着され得る他の成分を含み得る。いくつかのかかるプロセス流体は、より低温と比較されたとき、より高温の表面上に付着物を生成する傾向がある。いくつかのかかる例において、複数のＲＴＤ１０２ａ〜ｄのうちの１つ以上は、ＲＴＤ上に付着物を誘発させ、かつＲＴＤ上に形成する付着物を特性化するために、使用デバイス１０５の典型的な動作温度よりも高い温度に昇温される。これはまた、異常に高い温度等の、付着物形成が通常よりも起こり易いときの使用デバイス１０５の動作にとっての「最悪の場合」を表し得る。
【００５８】
例えば、図３を参照すると、例示的な実施形態において、ＲＴＤ３０２ａ〜ｄの各々は、加熱回路３１４のそれぞれのチャネルＡ〜Ｄを介して、異なる高い特性化温度に加熱される。例示的な実施形態において、ＲＴＤ３０２ａ〜ｄの各々の特性化温度は、流体流システムの使用デバイスの典型的な動作温度を上回る。いくつかのかかる例において、コントローラ３１２は、ＲＴＤ３０２ａ〜ｄを、それらのそれぞれの高い特性化温度に維持するように加熱回路３１４を制御する。コントローラ３１２は、ＲＴＤ３０２ａ〜ｄが所望される特性化温度に昇温されることを確実するために、測定回路３１０（例えば、マルチプレクサ３２０およびデマルチプレクサ３２２ならびに電流源３３０、３３２を使用して）を介して測定モード内のＲＴＤ３０２ａ〜ｄを動作させるように周期的に切り換え得る。
【００５９】
動作中、ＲＴＤ３０２ａ〜ｄをそれらのそれぞれの特性化温度に維持した後、コントローラ３１２は、図６Ａ〜Ｄのいずれかに関して上に説明されたもの等の付着物特性化プロセスを実施するように構成され得る。例えば、コントローラ３１２は、高温に維持するために加熱モードでＲＴＤを動作させた後、加熱モードと測定モードとの間で周期的に切り換え、かつＲＴＤの熱的挙動の変化を観察し得る。図６Ａ〜Ｄに関して説明されたように、加熱モードと測定モードとの間で周期的に切り換えることは、様々な方式で実施され得る。
【００６０】
例えば、かかる切り換えは、再び加熱する前にＲＴＤの温度減衰を観察する（例えば、図６Ａのように）期間中、測定モードに切り換えることを含み得る。ＲＴＤの熱的挙動の変化は、温度減衰によって示される時定数の変化を含み得る。代替的に、加熱モードと測定モードとの間で周期的に切り換えることは、ＲＴＤの温度をサンプリングするために測定モードに急速に切り換え、かつ加熱を続けるために加熱モードに再び切り換えながら、ＲＴＤの温度を上昇させることを含み得る。同様に、ＲＴＤの熱的挙動の変化は、温度上昇プロファイルに示される時定数の変化を含み得る。
【００６１】
さらに別の例において、加熱モードと測定モードとの間で周期的に切り換えることは、ＲＴＤを一定の温度に維持するためにＲＴＤを加熱し、一方で一定の温度が維持されることを確認するために測定モードに周期的に切り換えることを含む（例えば、図６Ｃに例解されるように）。かかる実施形態において、ＲＴＤの熱的挙動の変化は、ＲＴＤの温度を一定の温度に維持するために加熱回路によって印加される電力量の変化を含み得る。代替的に、加熱モードと測定モードとの間で周期的に切り換えることは、測定モードでＲＴＤの温度を周期的にサンプリングしながら、一定の印加電力を使用してＲＴＤを加熱することを含み得る（例えば、図６Ｄに例解されるように）。かかる実施形態において、ＲＴＤの熱的挙動の変化は、一定の印加電力量に起因してＲＴＤによって達成される温度の変化を含み得る。
【００６２】
本明細書の他の箇所に論じられるように、ＲＴＤの熱的挙動のかかる変化を観察することは、ＲＴＤ上の付着物レベルを示し、かつそれを判定するために使用され得る。したがって、いくつかの例において、コントローラ３１２は、ＲＴＤ３０２ａ〜ｄの各々に対する付着物レベルを特性化するために異なる温度に昇温されている複数のＲＴＤ３０２ａ〜ｄに対して、かかるプロセスのうちのいずれかを実施し得る。いくつかのかかる例において、コントローラ３１２は、マルチプレクサ３２０およびデマルチプレクサ３２２内の対応するチャネルＡ〜Ｄを介して、ＲＴＤ３０２ａ〜ｄの各々の付着物レベルを個々に特性化する。
【００６３】
コントローラ３１２は、各ＲＴＤの付着物レベルをその対応する特性化温度と関連付けるように構成され得る。つまり、コントローラ３１２は、ＲＴＤ３０２ａ〜ｄの各々での付着物レベルを判定し、かつ付着物レベルをそれぞれのＲＴＤ３０２ａ〜ｄの各々の初期特性化温度と関連付け得る。関連付けられた付着物レベルおよび動作温度は、流体流システム内の表面上の付着物の温度依存性を特性化するために使用され得る。使用デバイス（例えば、熱交換器表面）の典型的な動作温度がＲＴＤ３０２ａ〜ｄの特性化温度より低く、かつ付着物が上昇した温度によって促進される場合、使用デバイスは、ＲＴＤ３０２ａ〜ｄよりも少ない付着物を有する傾向があることになる。さらに、ＲＴＤ動作によって特性化される付着物の温度依存性は、使用デバイス上に形成する付着物の可能性を推定するために使用され得る。
【００６４】
追加的または代替的に、異なる特性化温度で動作する様々なＲＴＤ上の付着物を周期的に観察することは、付着物の発生における概略の増減に関する情報を提供し得る。プロセス流体の付着特性のかかる変化は、プロセス流体中の成分の温度または濃度の変化等の、流体流システムに影響を及ぼす様々な要因に起因し得る。
【００６５】
例示的な動作において、特性化ＲＴＤから検出された付着の増加および／または付着速度の上昇は、通常動作中に使用デバイス上に形成する付着物がより形成し易くなる、使用デバイスの付着物状態を示し得る。付着物状態の検出は、プロセス流体の１つ以上のパラメータを測定する等の、増加した付着の原因を判定する後続の分析を開始し得る。いくつかの例において、これは、例えば、コントローラによって自動的に実施され得る。
【００６６】
追加的または代替的に、プロセス流体の１つ以上のパラメータは、プロセス流体から流体流システム内に付着される付着物を減少させる、および／または既に蓄積した付着物を排除するように調整され得る。例えば、検出された付着の増加は、付着物を除去することを試みるように、酸または他の洗浄化学物質を放出させ得る。同様に、いくつかの例において、酸、スケール抑制剤、スケール分散剤、殺生物剤（例えば、漂白剤）などのような化学物質が、さらなる付着の可能性を低下させるためにプロセス流体に添加され得る。
【００６７】
いくつかの例において、経時的な付着（例えば、スケール）の増加は、例えば、設備故障または化学物質の枯渇に起因する、典型的なプロセス流体成分（例えば、スケール抑制剤および／またはスケール分散剤）の欠如または減少に起因するものであり得る。成分をプロセス流体内に再導入することは、プロセス流体から流体流システムへの付着量を減少させるように作用し得る。追加的または代替的に、流体動作温度、ｐＨ、アルカリ度などのような、付着物形成の可能性に影響を及ぼし得る様々な流体特性は、流体流システム内の１つ以上のセンサ（例えば、１１１）を介して測定され得る。かかる要因を調整することは、付着の量および／または可能性を低下させることを助け得る。
【００６８】
様々な実施形態において、任意の数のステップが、検出された付着の増加または他の観察された付着傾向に対処することに応じて行われ得る。いくつかの実施形態において、コントローラは、付着物の変化または傾向についてユーザに警告するように構成される。例えば、様々な実施形態において、コントローラは、付着物速度、レベル、および／またはその中の変化が一定の基準を満たす場合、ユーザに警告し得る。いくつかのかかる例において、基準は、温度依存（例えば、一定の特性化温度を有するＲＴＤで生じる付着物レベルまたは速度）または温度非依存であり得る。追加的または代替的に、コントローラは、プロセス流体の判定された特性が、低過ぎるまたは高過ぎる流体成分の濃度（例えば、付着の可能性を増減させる）、ならびに／または付着の量および／もしくは可能性に影響を及ぼし得る様々な流体特性等の、一定の基準を満たす場合、ユーザに警告し得る。
【００６９】
いくつかのかかる例において、ユーザに警告することは、著しい付着物がユーザデバイス上に形成する前に、是正および／または予防措置が行われ得るように、システムが潜在的に、付着物が使用デバイス上に形成する環境に向かう傾向であるときに実施される。いくつかの例において、ユーザへの警告は、ユーザが適切な措置を行うことを良好に助けるように、システムを通って流れるプロセス流体の特性に関する情報等の、追加の情報を含み得る。追加的または代替的に、いくつかの実施形態において、コントローラは、かかる措置を自動的に実施するために、他の機器（例えば、ポンプ、バルブなど）とインターフェース接続するように構成され得る。
【００７０】
いくつかのシステムにおいて、一定の付着物は、付着物表面温度が上昇するにつれて、付着し易くなる。したがって、いくつかの実施形態において、ＲＴＤ（例えば、３０２ａ〜ｄ）は、プロセス流体からの意図的な誘発および監視付着物が、使用デバイスが所望されない付着物の危険に曝されている状況を判定することを助け得るために、使用デバイスの典型的な動作温度よりも高い温度に加熱され得る。いくつかのかかる実施形態において、使用デバイスの典型的な温度よりも高い温度で動作している１つ以上のＲＴＤ上の付着特性を観察することは、使用デバイス上の実際の付着の危険性を最小化しつつ、一定の表面温度での付着傾向または事象を判定するために使用され得る。いくつかの事例において、異なるＲＴＤを異なる温度に昇温させることは、流体流システムの付着物形成の温度依存性に関する情報をコントローラに提供し、流体流システムの付着物形成を特性化するためにさらに使用され得る。
【００７１】
ＲＴＤが加熱されて付着物を誘発する、繰り返しまたは長期間の特性化後、ＲＴＤは、最終的に、有効な特性化に関して過剰にコーティングされるようになる場合がある。いくつかのかかる実施形態において、複数のＲＴＤ（例えば、１０２ａ〜１０２ｄ）は、システムから取り外され、システムまたは使用デバイスの動作を妨げずに洗浄または交換され得る。例えば、図１を参照すると、ＲＴＤ１０２ａ〜ｄは、ＲＴＤ１０２ａ〜ｄを保守するためにシステム１００から容易に取り外し可能である試料ホルダ１０４に取り付けられ得る。したがって、いくつかの実施形態において、特性化ＲＴＤの洗浄および交換は、使用デバイス自体を保守しなければならない場合よりも、非常に低い費用かつ少ないダウンタイムで実施され得る。
【００７２】
いくつかの例において、流体流システム内に付着物が形成する可能性は、システムの付着物潜在性とみなされ得る。様々な実施形態において、付着潜在性は、流体流システム内の物体の表面温度の関数であり得る。他の例において、付着潜在性は、システム内の特定の使用デバイスと関連付けられ得る。いくつかのシステムにおいて、付着物潜在性は、システム内に付着物が形成する絶対的な可能性を観察するための測定基準として使用され得る。追加的または代替的に、付着物潜在性は、流体流システム内の付着物状態の変化を観察するための測定基準として使用され得る。いくつかのかかる例において、絶対的な付着物潜在性は、付着物状態に必ずしも対応する必要はないが、付着物潜在性の変化は、例えば、付着物状態の可能性が高まったことを示す場合がある。
【００７３】
図７は、流体流システム内の使用デバイス上へのプロセス流体の付着物潜在性を評価するための例示的なプロセスを例解するプロセスフロー図である。方法は、１つ以上のＲＴＤ（複数可）を特有の特性化温度に導くこと（７６０）と、プロセス流体からＲＴＤ（複数可）上への付着物を促進するためにＲＴＤ（複数可）を特性化温度に維持すること（７６２）と、を含む。これは、例えば、本明細書の他の箇所に説明されるように、加熱回路を使用してＲＴＤ（複数可）を加熱モードで動作させることによって実施され得る。いくつかの例において、特性化温度のうちの少なくとも１つは、使用デバイスの動作温度よりも高い。１つ以上のＲＴＤ（複数可）を特性化温度に導くことが、流体流システムを通って流れるプロセス流体と熱平衡にある１つ以上のＲＴＤ（複数可）を動作させることを含み得ることが理解されよう。つまり、１つ以上のＲＴＤの特性化温度は、流体流システムを通って流れるプロセス流体と略同一温度であり得る。
【００７４】
方法は、ＲＴＤ（複数可）を加熱モードから測定モードに周期的に切り換えて、ＲＴＤ（複数可）の温度を測定すること（７６４）と、ＲＴＤ（複数可）の熱的挙動の変化を観察すること（７６６）と、をさらに含む。これは、例えば、図６Ａ〜Ｄに関して説明されたプロセスを含み得る。観察された変化は、プロセス流体から１つ以上のＲＴＤ（複数可）の各々に対する付着物レベルを特性化するために使用され得る（７６８）。これは、例えば、測定された温度減衰の当てはめ関数に関する時定数を判定することと、異なる測定時間での時定数に対する変化を観察することと、を含み得る。時定数の変化は、ＲＴＤ上に形成し、かつＲＴＤの熱的挙動を変化させる付着物を表し得る。いくつかの例において、付着物レベルを特性化することは、異なる特性化温度で動作するＲＴＤ（例えば、加熱されたＲＴＤおよび未加熱のＲＴＤ）に関する減衰プロファイルを比較することを含み得る。
【００７５】
付着物の厚さに加えて、付着物レベルの追加の特性化は、システム内の付着している可能性がある材料を判定することを含み得る。加熱および非加熱またはわずかに加熱されたＲＴＤに関しての熱減衰プロファイルを比較すると、付着物の性質が判定され得る。例えば、いくつかの場合において、沈殿物および／またはバイオフィルム（例えば、微生物成長）の付着物は、概して、表面温度の影響を受けないが、スケーリング効果は、より高い温度において増強されることになる。したがって、熱減衰プロファイルの特性化温度依存性は、ＲＴＤおよび流体流システム内に存在する付着物のタイプを特性化するために使用され得る。
【００７６】
方法は、付着物状態が使用デバイスに存在するか否かを判定することをさらに含み得る。これは、例えば、付着傾向を観察するために経時的に複数のＲＴＤ（複数可）での付着レベルおよび／または速度を監視することを含み得る。いくつかの例において、一定の付着速度または付着速度の上昇は、使用デバイス上に形成する付着物がより付着し易くなる付着物状態を示し得る。いくつかのかかる例において、ＲＴＤでの付着物レベル、付着物速度、および／またはその中の変化は、付着物状態が存在するか否かを判定するために、その関連付けられた特性化温度と組み合わせて分析され得る。追加的または代替的に、温度（例えば、異なる特性化温度を有するＲＴＤ（複数可）での）に関するかかるデータ（例えば、付着物レベル、付着物速度、および／またはその変化）の関係を分析することは、付着物状態を検出するために使用され得る。
【００７７】
いくつかの例において、監視された付着物レベル、付着物速度、および／または流体特性（例えば、温度、成分濃度、ｐＨなど）等の他のデータは、使用デバイス上へのプロセス流体の付着物潜在性を判定するために使用され得る。様々な実施形態において、所定の閾値を満たす、および／または所定の量だけ変化する付着物潜在性は、付着物状態の存在を検出するために使用され得る。
【００７８】
付着物状態の場合には、方法は、付着物状態に対処するために是正措置を行うことを含み得る（７７２）。是正措置は、プロセス流体中の１つ以上の化学物質の投与量を導入または変化させること、プロセス流体の温度を変化させること、ユーザに警告すること、プロセス流体用の使用デバイスを調整すること（例えば、熱交換器上の熱負荷）、ブローダウン速度を上昇させること、および／またはプロセス流体の付着特性に影響を及ぼし得る他の措置等の、様々な措置を含み得る。例示的な実施形態において、付着特性化は、スケール、バイオフィルムなどのような付着する可能性がある材料を判定することを含み得る。
【００７９】
いくつかのかかる実施形態において、是正措置（例えば、７２２）は、判定された付着物材料に対処するために具体的に行われ得る。例えば、スケール抑制剤は、検出されたスケール事象に起因して添加または増加され得る。しかしながら、付着特性化がスケールではなくバイオフィルムを表す場合、殺生物剤が添加または増加され得る。かかる是正措置は、システムによって自動的に実行され得る。追加的または代替的に、システムは、付着物状態に対処するために是正措置を行うようにユーザに信号を送り得る。
【００８０】
流体流システムが複数の流体源（例えば選択可能な入力源）から流体を受容し得るいくつかの実施形態において、是正措置は、システム内に入力される流体源を変化させることを含み得る。例えば、例示的な実施形態において、流体流システムは、清水源からおよび別のプロセスからの流出流から入力流体を選択的に受容し得る。システムは、最初に、流出流からプロセス流体を受容することによって動作し得る。しかしながら、検出された、または潜在的な付着物状態の場合には、流体源が、プロセス流体中に存在する可能性がある付着物材料を減少させるために、清水源に切り換えられ得る。流体源を切り換えることは、１つの供給源からの流体の流れを完全に止めることと、異なる供給源からの流体の流れを開始することとを含み得る。追加的または代替的に、供給源を切り換えることは、本来の供給源（例えば、流出流）と新しい供給源（複数可）（例えば、清水）との混合物を含み得る。例えば、いくつかの実施形態において、異なる入力源からの流体の所望されるブレンド（例えば、１つの供給源から５０％、および別の供給源から５０％）が選択され得る。
【００８１】
同様の実装において、いくつかの実施形態において、是正措置は、単一の供給源（例えば、流出源）からの流れを一時的に停止させることと、異なる供給源（例えば、清水）からプロセス流体を提供することと、を含み得る。新しい流体源は、過剰な付着物が生じ得る前に、潜在的な付着物材料をシステムから洗い流すために一時的に使用され得る。いくつかの例において、一度、かかる材料がシステムから洗い流されると（例えば、清水を介して）、プロセス流体源は、再び本来の供給源（例えば、流出流）に切り換えられ得る。いくつかの例において、システムから流体を洗い流すことは、システム内の使用デバイスを動作しながら行われ得る。他の例において、一定の付着物状態および／または可能性が検出されたとき（例えば、一定の付着物潜在性に達したとき）、使用デバイスへの流れが停止され、システム内の流体が、システムからかかる流体を取り除くために排水に方向付けられ得る。システムは、次いで、流体を流体源またはそれらの組み合わせのいずれかから使用デバイスに再び方向付け得る。
【００８２】
さらに別の実装において、本明細書の他の箇所に説明されているように、既定の入力流体は、複数の利用可能な供給源の各々からの流体の組み合わせられた流れであり得る。付着物状態が検出された場合には、流体源のうちの１つ以上は、システムから切り離され得る（例えば、遮断バルブを介して）。いくつかの例において、システムは、導電率センサ、濃度センサ、濁度センサなどのような、各入力源からシステム内に流れる流体の１つ以上のパラメータを監視するように構成された１つ以上の補助センサを含み得る。かかる補助センサからのデータは、どの入力源が付着物状態に寄与しているかを判定するために使用され得る。かかる流体源は、次いで、システムを通って流れる流体に寄与することを防止され得る。
【００８３】
プロセス流体入力源の遮断、切り換え、および／または組み合わせは、例えば、供給源（複数可）と流体流システムとの間に配置された１つ以上のバルブを介して実施され得る。様々な実施形態において、バルブは、入力流体源（複数可）を調整するために手動および／または自動で制御され得る。例えば、いくつかの実施形態において、検出された付着物状態は、１つ以上のかかるバルブと通信するコントローラに、システム内に流れる流体源を調整するためにかかるバルブを作動させ得る。代替的に、コントローラは、是正措置が実施されるべきであることをユーザに示し得、ユーザが、システムへの流体源を調整するためにかかるバルブを作動させてもよい。
【００８４】
本明細書の他の箇所に説明されているように、１つ以上の流体入力源は、その中に配設される１つ以上のＲＴＤを含み得る。かかるＲＴＤ（複数可）は、複数の流体源の各々に関する付着物状態を個々に特性化するために使用され得る。したがって、１つの流体源が付着物状態を示している場合、１つ以上の是正措置は、その供給源からシステム内に流れる流体に影響を及ぼす措置（例えば、流体のパラメータの調整）を実施すること、および／または流体がシステム内に流れることを阻止する（例えば、バルブを介して）ことを含み得る。いくつかの例において、各入力流体源は、各供給源が個々に特性化され得るように、１つ以上のかかるＲＴＤを含む。いくつかのかかる実施形態において、１つ以上のＲＴＤは、流体源の各々からの流体が組み合わされた後、流体流路内に追加的に位置付けられ得、そのため、複合流もまた、個々の供給源の各々から別個に特性化され得る。
【００８５】
一般に、１つ以上の是正措置を行うことは（例えば、ステップ７７２）、使用デバイスでの付着速度を低下させるように作用し得る。したがって、いくつかのかかる実施形態において、是正措置は、所望されない付着物が使用デバイス上に形成することを防止するための予防措置として作用する。これは、付着物を使用デバイスから洗浄するためにシステムをシャットダウンする必要性を最小化または排除しつつ、使用デバイスの動作時間を延長させ得る。
【００８６】
いくつかの実施形態において、行われたおよび／または提案された是正措置は、１つ以上の追加のセンサ（例えば１１１）から受信したデータに基づき得る。例えば、いくつかの実施形態において、スケール抑制剤の減少（例えば、スケール抑制剤導入流量計および／またはスケール抑制剤濃度計を介して検出される）は、システム内の付着物状態に寄与する。したがって、是正措置は、スケール抑制剤の供給を補充することを含み得る。同様に、いくつかの例において、過剰な付着物材料（例えば、濃度計によって検出されたカルシウム）の存在は、付着物状態に寄与する。対応する是正措置は、システム内へのスケール抑制剤導入またはその量を増加させることを含み得る。追加的または代替的に、是正措置は、流体中のリン酸塩レベルを変化させることを含み得る。例えば、システム内に蓄積するリン酸塩付着物は、リン含有化学物質またはリン酸塩付着触媒の流れの低減を結果としてもたらし得る。他の例において、リン酸塩含有流体の添加は、他の付着物が形成することを抑制し得る。いくつかのかかる例において、かかるリン酸塩またはリン含有流体が添加または増加され得る。
【００８７】
適切な是正措置は、いくつかの実施形態において、特性化された付着物レベル（例えば、ステップ７６８で）に基づいて判定され得る。例えば、より大きい付着速度および／または付着物潜在性は、付着物が形成することを防止するためにシステム内に放出されるべき、より大量のスケール抑制剤を結果としてもたらし得る。追加的または代替的に、形成する付着物のタイプの特性化（例えば、異なる温度での熱減衰プロファイルを比較することによる）は、どの是正措置が行われるかに影響を与える。例えば、付着物レベルの特性化が、付着物がスケーリングではなく概して沈殿物であることを示す場合、スケール防止剤化学物質を放出することが有用な措置ではない場合があり、他のより適切な措置が行われ得る。
【００８８】
様々な実施形態が説明されている。そのような例は非限定的であり、そして本発明の範囲を決して定義または限定しない。むしろ、これらおよび他の例は、以下の請求項の範囲内にある。
【図１】
2019532287.tif 000003
【図２】
2019532287.tif 000004
【図３】
2019532287.tif 000005
【図４】
2019532287.tif 000006
【図５】
2019532287.tif 000007
【図６Ａ】
2019532287.tif 000008
【図６Ｂ】
2019532287.tif 000009
【図６Ｃ】
2019532287.tif 000010
【図６Ｄ】
2019532287.tif 000011
【図７】
2019532287.tif 000012
【国際調査報告】
2019532287.tif 000013
2019532287.tif 000014
2019532287.tif 000015